(57)【要約】【課題】  バッテリの消耗をより確実，かつ即座に使用者へ報知することの可能な内視鏡装置を提供することである。【解決手段】  体内に挿入される挿入部の先端部から赤，緑，青色の３色の照明光を照射して観察対象の画像を取り込む内視鏡本体と，この内視鏡本体に脱着自在な電源ユニットとを備えた内視鏡装置であって，電源ユニットは，電源と，電源の出力電圧が所定電圧以下になると警告信号を出力する出力電圧監視手段と，各照明光の光源の点灯滅を制御する発光制御部と，を備え，発光制御部は，警告信号が送信されると，各照明光のうちの１色または２色の光源と電源との接続を遮断することを特徴とする。【選択図】    図４
2005058508.tif 000002
【特許請求の範囲】
【請求項１】
体内に挿入される挿入部の先端部から赤，緑，青色の３色の照明光を照射して観察対象の画像を取り込む内視鏡本体と，この内視鏡本体に脱着自在な電源ユニットとを備えた内視鏡装置であって，
前記電源ユニットは，電源と，
前記電源の出力電圧が所定電圧以下になると警告信号を出力する出力電圧監視手段と，
前記各照明光の光源の点灯滅を制御する発光制御部と，
を備え，
前記発光制御部は，前記警告信号が送信されると，前記各照明光のうちの１色または２色の光源と前記電源との接続を遮断することを特徴とする，内視鏡装置。
【請求項２】
前記照明光の光源は，ＬＥＤまたはランプのいずれかであることを特徴とする，請求項１に記載の内視鏡装置。
【請求項３】
前記照明光の光源は，前記内視鏡本体または前記電源ユニットのいずれかに設けられていることを特徴とする，請求項１または２に記載の内視鏡装置。
【請求項４】
前記３色の照明光の光源は，それぞれ複数個ずつあり，かつ各々同数であることを特徴とする，請求項１に記載の内視鏡装置。
【発明の詳細な説明】
【技術分野】
【０００１】
本発明は，内視鏡装置にかかり，特に携帯可能なバッテリ式の内視鏡装置に関する。
【背景技術】
【０００２】
医療用分野において広く使用されている内視鏡は，検査対象部位が生体内部であるので，この検査対象部位を照明する手段が必要である。このため，一般的な内視鏡装置では，内視鏡の外部装置として光源装置を用意し，この光源装置内の光源であるランプからの照明光を内視鏡に設けたライトガイドファイバに導光し，このライトガイドファイバで導光された照明光を挿入部の先端側の照明窓から出射して検査対象部位を照明する構成になっている。上記の光源装置は，一般的には商用電源から供給される電源を利用して光源装置内部のランプを発光させるものである。
【０００３】
これに対し，光源がＬＥＤであり，かつ先端部に設けられ，さらに電源に乾電池等のバッテリを用いたバッテリ型電源を内視鏡操作部に着脱自在に装着可能にしたものが開示されている（例えば，特許文献１参照）。このようなバッテリ型電源が取り付けられる内視鏡は，持ち運びが容易であると共に，電源の無い所での使用が可能になるので緊急時，例えば救急車内での使用等に適している。
【０００４】
しかし，上記のバッテリ型電源は，バッテリの消耗により，患者の体内に内視鏡挿入部が挿入されたまま，照明光が消えてしまい，患者の体内を観察できない状態となる虞があった。また，照明切れによる観察画像の途切れた状態で患者の体内から挿入部を抜き取ると，患者の体内を痛める虞があり危険である。
【０００５】
このため，バッテリの消耗を感知し，バッテリ残量をバッテリ型電源に設けた液晶表示画面に表示することにより，バッテリ残量の確認を可能にしたものが開示されている（例えば，特許文献２参照）。また，バッテリの消耗を感知し，バッテリ切れを感知すると，操作部に設けられた警告表示灯に備わる警告用ＬＥＤで報知し，内視鏡装置に備わる補助電源に切り換わるものが開示されている（例えば，特許文献３参照）。これらの内視鏡装置を使用することにより，内視鏡装置を使用中でのバッテリ切れを防止することができる。
【０００６】
また，内視鏡使用時における観察画像内に異常値等を報知する内視鏡装置として，この内視鏡装置に備わる画像表示装置に患者体内の内視画像と共に患者の生態情報が重ねて又は隣接して表示されるものもある（例えば，特許文献４参照）。
【０００７】
【特許文献１】特開平１１−９５４８号公報
【特許文献２】特開２００１−１６６２２２号公報
【特許文献３】特開２００３−０２１７９２号公報
【特許文献４】特開平８−２５６９６８号公報
【特許文献５】特開平１１−２２５９５３号公報
【発明の開示】
【発明が解決しようとする課題】
【０００８】
しかしながら，上記の特許文献２及び３に開示された内視鏡装置においては，内視鏡を操作する術者は，画像表示装置の画面に表示された内視画像に注意を集中させていることから，画像表示装置の画面に表示された内視画像以外の部分で表示されるバッテリ残量を常に注意できるわけではないので，内視鏡装置使用中でのバッテリ切れに気付くのが遅れる虞があった。
【０００９】
また，上記の特許文献４に開示された内視鏡装置においては，画像表示装置の画面内に生体情報値が表示されるが，内視鏡を操作する術者は，画像表示装置の画面に表示された内視画像の内，観察部位に注意を集中させていることから，画像表示装置の画面の一部に表示された生体情報値の異常値に常に注意できるわけではないので，生体情報値の異常に気付くのが遅れる虞があった。
【００１０】
なお，バッテリ式の内視鏡ではないが，赤（Ｒ），緑（Ｇ），青（Ｂ）の３色の発光素子を光源とし，内視鏡の使用動作時には，これら光源の照明光を各色の発光素子を一斉に点灯させる同時点灯式の発光機能に切り替え，内視鏡の使用中の静止時には，各色の発光素子を順次に点灯滅させる面順次点灯式の発光機能に切り替えることの可能な内視鏡装置が開示されている（例えば，特許文献５参照）。
【００１１】
しかし，上記の特許文献５に開示された内視鏡装置の照明光の切り替えは，観察対象がぶれないように明確に画像表示させることを目的とするものであり，観察・診断に不適切となるように観察画像を変化させることによって，バッテリの消耗を確実に使用者へ報知することを目的とするものではない。
【００１２】
本発明は，従来の内視鏡装置が有する上記問題点に鑑みてなされたものであり，本発明の目的は，バッテリの消耗をより即座にかつ確実に使用者へ報知することの可能な，新規かつ改良された内視鏡装置を提供することである。
【課題を解決するための手段】
【００１３】
上記課題を解決するために，本発明のある観点によれば，体内に挿入される挿入部の先端部から赤，緑，青色の３色の照明光を照射して観察対象の画像を取り込む内視鏡本体と，この内視鏡本体に脱着自在な電源ユニットとを備えた内視鏡装置であって，電源ユニットは，電源と，電源の出力電圧が所定電圧以下になると警告信号を出力する出力電圧監視手段と，各照明光の光源の点灯滅を制御する発光制御部と，を備え，発光制御部は，警告信号が送信されると，各照明光のうちの１色または２色の光源と電源との接続を遮断することを特徴とする，内視鏡装置が提供される。
【００１４】
このような本発明にかかる内視鏡装置によれば，照明光を変更させることにより，この照明光に照射される観察対象を写し出す観察画面自体を変化させることができるので，バッテリの消耗により，このバッテリの残量，換言すると出力電圧が観察・診断継続するのに不十分であることが，使用者に確実に報知することが可能となる。
【００１５】
また，照明光を変更させることにより，観察・診断に不適切な観察画像となるため，使用者は，内視鏡を抜かざるを得ず，この観察画像が途切れることによる患者への危険を回避することができ，かつ，観察・診断に不適切な観察画像となるものの，内視鏡挿入部を患者の体内から抜去するのには，十分な観察画像を保てるため，挿入部抜去の際に，患者に苦痛を与える虞も解決される。
【００１６】
さらに，出力電圧監視手段から出力された警告信号が上記の発光制御部に直接送信されることにより，発光制御部が照明光を変更させることから，照明光の変更のために余分な電力，手間を不要とし，低コスト化が可能となる。
【００１７】
このとき，照明光の光源は，ＬＥＤまたはランプのいずれかであることとしてもよい。このように，光源をＬＥＤとすることにより，消費電力を低くすることが可能となり，光源をランプとすることにより，光源の照度を大きくすることが可能となる。
【００１８】
また，このとき，照明光の光源は，内視鏡本体または電源ユニットのいずれかに設けられていることとしてもよい。光源を電源ユニット側に設けることにより，挿入部の先端側の細径化が可能となる。
【００１９】
さらに，このとき，３色の照明光の光源は，それぞれ複数個ずつあり，かつ各々同数であることとしてもよい。各色の照明光の光源が同数であることにより，同時に点灯させると，白色の照明光が得られ，少なくとも１色が消灯されると，照明光の色が変化するので，観察画像が全体的に変化して，バッテリの消耗により，このバッテリの残量，換言すると出力電圧が観察・診断継続するのに不十分であることが，使用者に確実に報知することができる。
【発明の効果】
【００２０】
以上説明したように本発明によれば，照明光を変更させることにより，この照明光に照射される観察対象を写し出す観察画面自体を迅速に変化させることができるので，バッテリの消耗により，このバッテリの残量が観察・診断継続するのに不十分であることが，使用者に確実かつ即座に報知することが可能となる。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
（第１の実施の形態）
まず，本発明の第１の実施の形態の内視鏡装置の構成について，図面を用いて説明する。図１は，本実施形態にかかる携帯用のバッテリ式の内視鏡装置の外観図であり，図２は，本実施形態の内視鏡装置の接眼部側からの正面図であり，図３は，本実施形態の内視鏡装置の挿入部の先端部側からの正面図である。
【００２３】
本実施形態の内視鏡装置１００は，内視鏡本体１０２を機能させるための電源を備える電源ユニット１０４が，この内視鏡本体１０２に対して脱着自在な携帯用のバッテリ式内視鏡装置である。
【００２４】
図１に示すように，内視鏡装置１００は，体腔内等へ挿入される挿入部１０６と，この挿入部１０６の湾曲操作や送気／送水，吸引等の操作をする操作部１０８とを備える。
【００２５】
挿入部１０６は，操作部１０８への連設部からの大半は，挿入経路に沿って任意の方向に曲がる軟性部１１０であり，この軟性部１１０の先端には，アングル部１１２が，このアングル部１１２の先端には，先端部１１４が順次連結されている。アングル部１１２は，先端部１１４を所望の方向に向けるために設けられるものである。
【００２６】
この操作部１０８には，鉗子等の処置具を導入する処置具挿入口１１６が設けられる。また，この操作部１０８には，上記挿入部１０６の先端部１１４を所望の方向に向けるためにアングル部１１２を湾曲操作するためのアングルレバー１２０と，このアングルレバー１２０の回動範囲を制限するためのロックつまみ部１１８が設けられている。さらに，操作部１０８の基端には，先端部１１４から撮像された観察画像を見るための接眼部１２２が設けられている。
【００２７】
また，本実施形態の内視鏡装置１００では，図２に示すように，上記の操作部１０８の長手方向の軸線（内視鏡本体１０２の軸線）に対し垂直の方向で，かつロックつまみ部１１８とアングルレバー１２０の反対側に，略円錐台形状の電源ユニット１０４が設けられ，この電源ユニット１０４内に内視鏡装置１００の電源となるバッテリ１２４が配置される。このバッテリ１２４として，リチウムイオン電池，ニッケルカドニウム（ＮｉＣｄ）電池，ニッケル水素（ＮｉＭＨ）電池等が使用される。もちろん，これらのバッテリ１２４の代りに２次電池を使用してもよい。
【００２８】
この電源ユニット１０４は，上記ロックつまみ部１１８とアングルレバー１２０の反対側に配置することで，内視鏡装置１００のバランスを取る役目をすると共に，手で内視鏡本体１０２（又は操作部１０８）を把持するためのグリップ部として，又は操作部１０８を把持したときの指掛け部として機能することになる。なお，電源ユニット１０４の詳細な構成及び作用については，後述するものとする。
【００２９】
上記挿入部１０６の先端部１１４の先端面には，図３に示すように，上記処置具挿入口（鉗子口）１１６に処置具挿通チャンネル（図示せず。）を介して連通する鉗子口１２６，被検体の画像を取り込む観察系の一部である観察窓１２８，この観察窓１２８等の汚れを洗浄するために，観察窓１２８へ向けて送気／送水をする送気／送水ノズル１３０が設けられている。また，この先端面の外周には，被検体に向けて照明光を発する照明系の一部である赤（Ｒ），緑（Ｇ），青（Ｂ）の各色の照明光を照射する照明窓１３２ｒ，１３２ｇ，１３２ｂが例えば各色ごとに２個ずつ計６個，等間隔に配置される。なお，各色の照明光を照射する照射窓１３２ｒ，１３２ｇ，１３２ｂの数は，この数に限定されずに，各色ごとに同数ずつあればよい。
【００３０】
次に，本実施の形態の内視鏡装置１００における内視鏡本体１０２に接続される電源ユニット１０４の構成について図面を参照しながら説明する。図４は，本実施の形態における内視鏡装置１００の全体構成図であり，図５は，本実施の形態における内視鏡装置１００を使用した場合の通常観察時および警告時における観察画像の様子を例示する図である。
【００３１】
図４に示すように，内視鏡本体１０２に備わる挿入部１０６の先端側に有する先端部１１４には，観察窓１２８を備える対物光学系１３４が設けられ，この対物光学系１３４は，イメージガイド１３６を介して操作部１０８の基端に設けられた接眼部１２２に接続されている。
【００３２】
また，先端部１１４には，赤（Ｒ），緑（Ｇ），青（Ｂ）の各色の照射光を照射する照明窓１３２ｒ，１３２ｇ，１３２ｂを備える光源として，赤（Ｒ），緑（Ｇ），青（Ｂ）の各色のＬＥＤ１３８ｒ，１３８ｇ，１３８ｂが設けられている。これらＬＥＤ１３８ｒ，１３８ｇ，１３８ｂは，それぞれ接続導線１４０ｒ，１４０ｇ，１４０ｂを介して内視鏡本体１０２の操作部１０８に設けられた電源ユニット１０４との接続部１４２ｒ，１４２ｇ，１４２ｂに接続されている。
【００３３】
これら接続部１４２ｒ，１４２ｇ，１４２ｂは，電源ユニット１０４に備わる接続導線１４４ｒ，１４４ｇ，１４４ｂを介して，光源となる上記のＬＥＤ１３８ｒ，１３８ｇ，１３８ｂの点灯／消灯を制御する発光制御部１４６に接続される。この発光制御部１４６は，上述したバッテリ１２４に接続される。本実施の形態の内視鏡装置１００では，内視鏡本体１０２の先端部１１４に設けられた赤（Ｒ），緑（Ｇ），青（Ｂ）の各色の照射光を発する光源となるＬＥＤ１３８ｒ，１３８ｇ，１３８ｂを同時に点灯させることにより，白色光が得られ，これらＬＥＤ１３８ｒ，１３８ｇ，１３８ｂの同時点灯により得られる白色光が観察対象を直接照射する。
【００３４】
次に，本実施形態における電源ユニット１０４の構成，及び作用について説明する。図４に示したように，バッテリ１２４からの出力電圧が発光制御部１４６，電源ユニット１０４に備わる接続導線１４４ｒ，１４４ｇ，１４４ｂ，接続部１４２ｒ，１４２ｇ，１４２ｂ，内視鏡本体１０２に備わる接続導線１４０ｒ，１４０ｇ，１４０ｂを介して先端部１１４に備わる光源となるＬＥＤ１３８ｒ，１３８ｇ，１３８ｂに供給される。それによって，ＬＥＤ１３８ｒ，１３８ｇ，１３８ｂが同時に発光され，先端部１１４に備わる照明窓１３２ｒ，１３２ｇ，１３２ｂから白色光の照明光が照射される。
【００３５】
また，本実施形態では，上記のバッテリ１２４の残量を検知し，このバッテリ１２４の出力電圧が，光源となるＬＥＤ１３８ｒ，１３８ｇ，１３８ｂの発光作用が一定時間以上の継続が不可能となる所定電圧以下になった場合に，警告信号Ｓ１００を出力する出力電圧監視手段１４８が電源ユニット１０４に設けられている。この出力電圧監視手段１４８から出力された警告信号Ｓ１００は，上記の発光制御部１４６に直接送信される。
【００３６】
本実施形態では，出力電圧監視手段１４８からバッテリ切れの警告信号Ｓ１００が発信されると，発光制御部１４６において，赤（Ｒ），緑（Ｇ），青（Ｂ）の各色の照射光を発する光源となるＬＥＤ１３８ｒ，１３８ｇ，１３８ｂのうちの１つまたは２つと上記のバッテリ１２４との接続を遮断する。換言すると，発光制御部１４６において，上記の各色の光源となるＬＥＤ１３８ｒ，１３８ｇ，１３８ｂの少なくとも１つ以外を消灯させるようになる。このため，光源からの光が白色光から上記の各色単独の色，または２色の混合した色の照射光に変更され，内視鏡本体１０２の先端部１１４からの照明光が変更される。
【００３７】
このような作用によって，図５に示すように，通常観察時においては，白色光の照明光に照射される観察対象１６０を写し出す観察画面自体が，バッテリ切れの警告時には，観察画面自体が，例えば青色のＬＥＤ１３８ｂ以外のＬＥＤ１３８ｒ，１３８ｇを消灯させることにより全体的に青色を呈し，即座に暗くなるように変化させることができる。それによって，バッテリ１２４の消耗により，このバッテリ１２４の残量，換言すると出力電圧が観察・診断継続するのに不十分であることが，接眼部１２２から観察している使用者に確実にかつ迅速に報知することができる。ただし，観察画面は，全体的に暗くはなるものの，内視鏡挿入部１０６を患者の体内から抜去するのには，十分な明るさである。
【００３８】
また，上記のように照明光が変更されることにより観察画面が全体的に暗くなることにより，使用者にとって観察・診断に不適切な観察画像となるので，使用者は，内視鏡本体１０２の挿入部１０６を患者の体内から抜かざるを得ず，この観察画像が途切れることによる患者への危険を回避することができる。
【００３９】
そして，観察・診断に不適切な観察画像となるものの，内視鏡挿入部１０５を患者の体内から抜去するのには，十分な観察画像を保てるため，挿入部１０６を抜去する際に，患者に苦痛を与える虞も解決される。
【００４０】
さらに，出力電圧監視手段１４８から出力された警告信号Ｓ１００は，上記の発光制御部１４６に直接送信されることにより，発光制御部１４６で照明光を変更させることから，照明光の変更のために余分な電力，手間を不要とし，低コスト化が可能となる。換言すると，照明光を変更させる手段をより簡潔にし，これら照明光の変更の際に，照明光を変更させる手段を駆動させるための余分な電力を必要とせずに，また非常用の光源を別途用意する必要もなくなり，余分な手間やコストをかけずに済むこととなる。
【００４１】
（第２の実施の形態）
本発明の第２の実施の形態にかかる内視鏡装置２００について，図面を参照しながら説明する。本実施形態にかかる内視鏡装置の全体外観図は，図１と同様であり，本実施形態の内視鏡装置２００の接眼部２２２側からの正面図は，図２と同様である。
【００４２】
次に，本発明の第２の実施の形態の内視鏡装置２００および本実施の形態の内視鏡装置２００における内視鏡本体２０２に接続される電源ユニット２０４の構成について図面を参照しながら説明する。図６は，本実施形態における内視鏡装置２００の全体構成図であり，図７は，本実施形態の内視鏡装置２００の挿入部２０６の先端部２１４側からの正面図であり，図８は，本実施形態における通常観察時および警告時における観察画像の様子を例示する図である。
【００４３】
図６に示すように，本実施形態の内視鏡装置２００の内視鏡本体２０２は，第１の実施の形態と同様に，内視鏡本体２０２に備わる挿入部２０６の先端側に有する先端部２１４には，観察窓２２８を備える対物光学系２３４が設けられ，この対物光学系２３４は，イメージガイド２３６を介して操作部２０８の基端に設けられた接眼部２２２に接続されている。
【００４４】
また，先端部２１４には，照明窓２３２が設けられ，この照明窓２３２は，ライトガイド２３８を介して内視鏡本体２０２の操作部２０８に設けられた電源ユニット２０４との接続部２４０に接続されている。この接続部２４０は，光ファイバ等で形成される採光手段２４２を介して，電源ユニット２０４に備わる光源２４４に接続される。
【００４５】
本実施形態における電源ユニット２０４には，赤（Ｒ），緑（Ｇ），青（Ｂ）の各色の照射光を発する光源２４４として，ハロゲンランプやキセノンランプ等のランプ２４４ｒ，２４４ｇ，２４４ｂが上記の各色ごとに設けられ，これらランプ２４４ｒ，２４４ｇ，２４４ｂの光が，ライトガイド２４０を介して先端部２１４に備わる照明窓２３２へ導かれる。
【００４６】
また，上記先端部２１４の先端面には，図７に示すように，上記処置具挿入口（鉗子口）１１６に処置具挿通チャンネル（図示せず。）を介して連通する鉗子口２２６，被検体の画像を取り込む観察系の一部である観察窓２２８，この観察窓２２８等の汚れを洗浄するために，観察窓２２８へ向けて送気／送水をする送気／送水ノズル２３０が設けられている。また，この先端面の外周には，被検体に向けて照明光を発する照明系の一部である照明窓２３２が例えば計６個，等間隔に配置される。なお，照射窓２３２の数は，この数に限定されるものではない。
【００４７】
次に，本実施形態における電源ユニット２０４の構成，及び作用について説明する。図６に示したように，バッテリ２２４からの出力電圧が発光制御部２４６を介して光源２４４に供給される。それによって，光源２４４が発光され，上記の採光手段２４２，接続部２４０，及びライトガイド２３８を介して先端部２１４に備わる照明窓２３２から照明光が照射される。通常の観察時においては，光源２４４となる赤（Ｒ），緑（Ｇ），青（Ｂ）の各色の照射光を発するランプ２４４ｒ，２４４ｇ，２４４ｂは，同時に点灯され，採光手段２４２，接続部２４０，及びライトガイド２３８を介して上記の照明窓２３２から白色光が照射光として照射される。
【００４８】
本実施形態では，第１の実施の形態と同様に，上記のバッテリ２２４の残量を検知し，このバッテリ２２４の出力電圧が，光源２４４の発光作用が一定時間以上の継続が不可能となる所定電圧以下になった場合に，警告信号Ｓ２００を出力する出力電圧監視手段２４８が電源ユニット２０４に設けられている。この出力電圧監視手段２４８から出力された警告信号Ｓ２００は，上記の発光制御部２４６に直接送信される。
【００４９】
本実施形態では，出力電圧監視手段２４８からバッテリ切れの警告信号Ｓ２００が発信されると，発光制御部２４６において，赤（Ｒ），緑（Ｇ），青（Ｂ）の各色の照射光を発する光源２４４となるランプ２４４ｒ，２４４ｇ，２４４ｂのうちの１つまたは２つと上記のバッテリ２２４との接続を遮断する。換言すると，発光制御部２４６が上記の各色のランプ２２４ｒ，２２４ｇ，２２４ｂの少なくとも１つ以外を消灯させるようにするようになる。このため，光源からの光が白色光から上記の各色単独の色，または２色の混合した色の照射光に変更され，内視鏡本体２０２の先端部２１４からの照明光が変更される。
【００５０】
このような作用によって，図８に示すように，通常観察時においては，白色光の照明光に照射される観察対象２５０を写し出す観察画面自体が，バッテリ切れの警告時には，観察画面自体が，例えば青色のランプ２４４ｂ以外のランプ２４４ｒ，２４４ｇを消灯させることにより全体的に青色を呈し，即座に暗くなるように変化させることができる。それによって，バッテリ２２４の消耗により，このバッテリ２２４の残量，換言すると出力電圧が観察・診断継続するのに不十分であることが，接眼部２２２から観察している使用者に確実に報知することができる。ただし，観察画面は，全体的に暗くはなるものの，内視鏡挿入部２０６を患者の体内から抜去するのには，十分な明るさである。
【００５１】
また，上記のように照明光が変更されることにより観察画面が全体的に暗くなることにより，使用者にとって観察・診断に不適切な観察画像となるので，使用者は，内視鏡本体２０２の挿入部２０６を患者の体内から抜かざるを得ず，この観察画像が途切れることによる患者への危険を回避することができる。
【００５２】
そして，観察・診断に不適切な観察画像となるものの，内視鏡挿入部２０５を患者の体内から抜去するのには，十分な観察画像を保てるため，挿入部２０６を抜去する際に，患者に苦痛を与える虞も解決される。
【００５３】
さらに，出力電圧監視手段２４８から出力された警告信号Ｓ２００は，上記の発光制御部２４６に直接送信されることにより照明光を変更させることから，照明光の変更のために余分な電力，手間を不要とし，低コスト化が可能となる。
【００５４】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５５】
例えば，第１の実施の形態では，光源となるＬＥＤを内視鏡本体の先端部に設けたが，この光源となるＬＥＤは，電源ユニット側に設け，ライトガイドにより先端部に設けた照明窓に接続する構成とすることも可能である。
【００５６】
また，第１および第２の実施の形態では，バッテリ切れの警告用の光源となるＬＥＤ，ランプを青色としたが，この警告用の光源の発する光の色は，例えば緑色等の他の色にも変更可能である。
【００５７】
さらに，上記の各実施形態では，観察系でイメージガイドを採用した内視鏡装置について述べたが，必ずしもこれに限定されるものではなく，固体撮像素子を採用した電子内視鏡装置にも適用可能である。
【産業上の利用可能性】
【００５８】
本発明は，内視鏡装置に適用可能であり，特に携帯用として使用されるバッテリ式の内視鏡装置に適用可能である。
【図面の簡単な説明】
【００５９】
【図１】図１は，第１の実施の形態にかかる携帯用のバッテリ式の内視鏡装置の外観図である。
【図２】図２は，同実施の形態における内視鏡装置の接眼部側からの正面図である。
【図３】図３は，同実施の形態における内視鏡装置の挿入部の先端部側からの正面図である。
【図４】図４は，同実施の形態における内視鏡装置の全体構成図である。
【図５】図５は，同実施の形態における内視鏡装置を使用した場合の通常観察時および警告時における観察画像の様子を例示する図である。
【図６】図６は，第２の実施の形態における内視鏡装置の全体構成図である。
【図７】図７は，同実施の形態における内視鏡装置の挿入部の先端部側からの正面図である。
【図８】図８は，同実施の形態における内視鏡装置を使用した場合の通常観察時および警告時における観察画像の様子を例示する図である。
【符号の説明】
【００６０】
１００，２００    内視鏡装置
１０２，２０２    内視鏡本体
１０４，２０４    電源ユニット
１０６，２０６    挿入部
１０８，２０８    操作部
１１４，２１４    先端部
１２２，２２２    接眼部
１２４，２２４    バッテリ
１２８，２２８    観察窓
１３２，２３２    照明窓
１３４，２３４    対物光学系
１３６，２３６    イメージガイド
１３８    ＬＥＤ
１４０    接続導線
１４２    接続部
１４４    接続導線
１４６，２４６    発光制御部
１４８，２４８    出力電圧監視手段
２３８    ライトガイド
２４２    採光手段
Ｓ１００，Ｓ２００    警告信号
【図１】
2005058508.tif 000003
【図２】
2005058508.tif 000004
【図３】
2005058508.tif 000005
【図４】
2005058508.tif 000006
【図５】
2005058508.tif 000007
【図６】
2005058508.tif 000008
【図７】
2005058508.tif 000009
【図８】
2005058508.tif 000010